(57)【要約】【課題】機器間通信を行う方法及びその機器が開示される。【解決手段】本発明に係る通信実行方法は、機器間通信を支援する第２機器を探索するステップと、探索された第２機器からネットワーク情報を受信するステップと、受信された第２機器のネットワーク情報及び第１機器のネットワーク情報に基づいて、第１機器及び第２機器のいずれか一つをグループオーナー（ｇｒｏｕｐ  ｏｗｎｅｒ）と判断するステップと、を含み、ネットワーク情報は、サーバー機器またはクライアント機器を指示するタイプ情報、ネットワーク支援情報、ネットワーク必要情報及びネットワーク設定情報のうち少なくとも一つを含む。【選択図】図３
2014060717.tif 000002
【特許請求の範囲】
【請求項１】
第１機器の機器間通信実行方法において、
機器間通信を支援する第２機器を探索するステップと、
前記探索された第２機器からネットワーク情報を受信するステップと、
前記受信された第２機器のネットワーク情報及び前記第１機器のネットワーク情報に基づいて、前記第１機器及び前記第２機器のいずれか一つをグループオーナーと判断するステップと、を含み、
前記ネットワーク情報は、サーバー機器またはクライアント機器を指示するタイプ情報、ネットワーク支援情報、ネットワーク必要情報及びネットワーク設定情報のうち少なくとも一つを含むことを特徴とする、通信実行方法。
【請求項２】
前記第１機器及び前記第２機器のいずれか一つをグループオーナーと判断するステップは、グループオーナー判断基準に従って、前記受信された第２機器のネットワーク情報及び前記第１機器のネットワーク情報を用いて前記グループオーナーを判断するステップを含むことを特徴とする、請求項１に記載の通信実行方法。
【請求項３】
前記第２機器から、前記第２機器のグループオーナーインテント値を受信するステップと、
前記第１機器のグループオーナーインテント値と前記第２機器のグループオーナーインテント値とを比較し、前記グループオーナーと判断された機器のグループオーナーインテント値が、グループクライアントと判断される機器のグループオーナーインテント値より大きい値を有するように、前記第１機器のグループオーナーインテント値を設定するステップと、をさらに含む、請求項１に記載の通信実行方法。
【請求項４】
前記第１機器が前記グループオーナーと判断された場合、前記第１機器のグループオーナーインテント値を設定するステップは、
前記第１機器のグループオーナーインテント値と前記第２機器のグループオーナーインテント値とを比較するステップと、
前記比較結果、前記第１機器のグループオーナーインテント値が前記第２機器のグループオーナーインテント値よりも小さい場合、前記第１機器のグループオーナーインテント値が前記第２機器のグループオーナーインテント値よりも大きくなるよう、前記第１機器のグループオーナーインテント値を設定するステップと、をさらに含むことを特徴とする、請求項３に記載の通信実行方法。
【請求項５】
前記第１機器が前記グループクライアントと判断された場合、前記第１機器のグループオーナーインテント値を設定するステップは、
前記第１機器のグループオーナーインテント値と前記第２機器のグループオーナーインテント値とを比較するステップと、
前記比較結果、前記第１機器のグループオーナーインテント値が前記第２機器のグループオーナーインテント値よりも大きい場合、前記第１機器のグループオーナーインテント値が前記第２機器のグループオーナーインテント値よりも小さくなるよう、前記第１機器のグループオーナーインテント値を設定するステップと、さらにを含むことを特徴とする、請求項３に記載の通信実行方法。
【請求項６】
前記設定された第１機器のグループオーナーインテント値を前記第２機器に伝送するステップをさらに含むことを特徴とする、請求項３に記載の通信実行方法。
【請求項７】
機器間通信を行う第１機器において、
機器間通信を支援する第２機器を探索し、前記探索された第２機器からネットワーク情報を受信する受信機と、
前記受信された第２機器のネットワーク情報及び前記第１機器のネットワーク情報に基づいて、前記第１機器及び前記第２機器のいずれか一つをグループオーナーと判断するプロセッサと、を含み、
前記ネットワーク情報は、サーバー機器またはクライアント機器を指示するタイプ情報、ネットワーク支援情報、ネットワーク必要情報及びネットワーク設定情報のうち少なくとも一つを含むことを特徴とする、第１機器。
【請求項８】
前記プロセッサは、グループオーナー判断基準に従って、前記受信された第２機器のネットワーク情報及び前記第１機器のネットワーク情報を用いて前記グループオーナーを判断することを特徴とする、請求項７に記載の第１機器。
【請求項９】
前記受信機は、前記第２機器から、前記第２機器のグループオーナーインテント値を受信し、
前記プロセッサは、前記第１機器のグループオーナーインテント値と前記第２機器のグループオーナーインテント値とを比較して、前記グループオーナーと判断された機器のグループオーナーインテント値が、グループクライアントと判断される機器のグループオーナーインテント値より大きい値を有するように、前記第１機器のグループオーナーインテント値を設定することを特徴とする、請求項７に記載の第１機器。
【請求項１０】
前記プロセッサは、前記第１機器が前記グループオーナーと判断された場合、前記第１機器のグループオーナーインテント値と前記第２機器のグループオーナーインテント値とを比較し、前記比較結果、前記第１機器のグループオーナーインテント値が前記第２機器のグループオーナーインテント値よりも小さい場合、前記第１機器のグループオーナーインテント値が前記第２機器のグループオーナーインテント値よりも大きくなるよう、前記第１機器のグループオーナーインテント値を設定することを特徴とする、請求項９に記載の第１機器。
【請求項１１】
前記プロセッサは、前記第１機器が前記グループクライアントと判断された場合、前記第１機器のグループオーナーインテント値と前記第２機器のグループオーナーインテント値とを比較し、前記比較結果、前記第１機器のグループオーナーインテント値が前記第２機器のグループオーナーインテント値よりも大きい場合、前記第１機器のグループオーナーインテント値が前記第２機器のグループオーナーインテント値よりも小さくなるよう、前記第１機器のグループオーナーインテント値を設定することを特徴とする、請求項９に記載の第１機器。
【請求項１２】
前記設定された第１機器のグループオーナーインテント値を前記第２機器に伝送する送信機をさらに含むことを特徴とする、請求項９に記載の第１機器。
【発明の詳細な説明】
【技術分野】
【０００１】
本発明は、機器間通信に係り、より詳細には、ワイファイダイレクトを用いた通信を行う機器及びその方法に関する。
【背景技術】
【０００２】
機器間通信とは、ワイファイダイレクト、ブルートゥース、ジグビー（Ｚｉｇｂｅｅ）などを含むものであってもよい。ここで、ワイファイ（Ｗｉ−Ｆｉ）は、「無線ＬＡＮ」であって、接続装置（ＡＰ）が設置された所の近くで超高速インターネットを楽しめる通信ネットワークである。ワイファイダイレクト（Ｗｉ−Ｆｉ  Ｄｉｒｅｃｔ）は、既存のワイファイの新しいバージョンであって、インターネット網がなくても無線で機器同士をワイファイで接続することができる通信技術である。ホットスポットやルータ、アクセスポイント（Ａｃｃｅｓｓ  Ｐｏｉｎｔ、ＡＰ）も必要としない。ワイファイダイレクトを支援する機器さえあれば、互いに直接接続してファイルをやりとりしたり、通信ネットワークを共有することができる。
【０００３】
このように、ワイファイダイレクト（Ｗｉ−Ｆｉ  Ｄｉｒｅｃｔ）は、ワイファイアライアンス機器間接続を支援するＡＰ（Ａｃｃｅｓｓ  Ｐｏｉｎｔ）を経由せずに、ワイファイを搭載した機器間で直接的に通信を行うことの一種である。
【０００４】
ワイファイダイレクトは、基本的な接続方式は二つの機器を一対一で接続する方式である。スマートフォンとスマートフォン、ノートパソコンとマウス、タブレットＰＣとプリンタをワイファイダイレクトで直接接続して使う方式である。したがって、スマートフォンにある写真や音楽、動画を他のスマートフォンに容易に伝送したり、タブレットＰＣに格納された文書と写真を直ちにプリントし、ＰＣとスマートフォン間の連絡先を同期化し、ゲーム機同士を直接接続して互いに対戦を楽しむ用途にも使用することができる。
【０００５】
１台の機器に他の複数台の機器を接続することもできる。例えば、ワイファイダイレクトを支援するノートパソコンにモニタ、プリンタ、デジタルカメラ及びマウスを同時に接続することができる。このとき、ノートパソコンが既存のワイファイネットワークに接続されていれば、ノートパソコンに接続された他の機器も同一にワイファイネットワークでインターネット接続をすることができる。但し、一対多方式はオプションで提供される。
【０００６】
一方、ワイファイダイレクト装備同士は、最初の接続が行われる時に、ＡＰとして動作する装備を相互間で決定する。これによる、ワイファイダイレクトにおいて機器を接続する方法は、次の通りである。ワイファイダイレクトを支援する機器は、相互間に制御メッセージを送受信して、どの機器がワイファイダイレクトを支援するのか互いに認知できるようになり、相互接続に必要な情報を制御メッセージを通じて伝達する。この過程中に、相異なる二つのワイファイダイレクト機器は、どちらがグループオーナーの役割を果たすか交渉する手順を含む。ここで、グループオーナーは、ワイファイダイレクトネットワークを構成する機器グループのうち、接続された機器の統制権を有し、ＡＰの役割を果たす機器を意味する。交渉方式は、二つの機器のそれぞれのグループオーナーインテント値（Ｇｒｏｕｐ  Ｏｗｎｅｒ  Ｉｎｔｅｎｔ  ｖａｌｕｅ）を交換することで、グループオーナーの役割を決定するようになる。
【０００７】
しかし、既存のワイファイダイレクト接続は、一般に、任意の値を伝送するようになっている既に設定されているグループオーナーインテント値を比較してグループオーナーを決定するので、特定の機器がグループオーナーとなるように制御するなどの効率的なネットワーク接続が不可能であるという問題点があった。
【発明の概要】
【発明が解決しようとする課題】
【０００８】
上述した問題点を解決するために、本発明の技術的課題は、ワイファイダイレクト接続時、ネットワーク情報を考慮してグループオーナーを判断することができる通信実行方法を提供することにある。
【０００９】
また、本発明の技術的課題は、特定のネットワーク状況に適するように判断されたグループオーナーに対応するように、機器のグループオーナーインテント値を動的に変更する機器及び通信実行方法を提供することにある。
【００１０】
本発明で達成しようとする技術的課題は、上記の技術的課題に制限されず、言及していない他の技術的課題は、下記の記載から、本発明の属する技術分野における通常の知識を有する者に明確に理解されるであろう。
【課題を解決するための手段】
【００１１】
上述した課題を達成するための本発明の一実施例に係る第１機器の機器間通信を行う方法は、機器間通信を支援する第２機器を探索するステップと、前記探索された第２機器からネットワーク情報を受信するステップと、前記受信された第２機器のネットワーク情報及び前記第１機器のネットワーク情報に基づいて、前記第１機器及び前記第２機器のいずれか一つをグループオーナー（ｇｒｏｕｐ  ｏｗｎｅｒ）と判断するステップと、を含み、前記ネットワーク情報は、サーバー機器またはクライアント機器を指示するタイプ情報、ネットワーク支援情報、ネットワーク必要情報及びネットワーク設定情報のうち少なくとも一つを含む。
【００１２】
ここで、前記グループオーナーと判断するステップは、グループオーナー判断基準に従って、前記受信された第２機器のネットワーク情報及び前記第１機器のネットワーク情報を用いてグループオーナーを判断することができる。
【００１３】
一方、第１機器の機器間通信を行う方法は、前記第２機器から、前記第２機器のグループオーナーインテント値（ｇｒｏｕｐ  ｏｗｎｅｒ  ｉｎｔｅｎｔ  ｖａｌｕｅ）を受信するステップと、前記グループオーナーと判断された機器のグループオーナーインテント値がより大きい値を有するように、前記第１機器のグループオーナーインテント値と前記第２機器のグループオーナーインテント値とを比較して前記第１機器のグループオーナーインテント値を設定するステップと、をさらに含むことができる。
【００１４】
ここで、前記第１機器が前記グループオーナーと判断された場合、前記第１機器のグループオーナーインテント値を設定するステップは、前記第１機器のグループオーナーインテント値と前記第２機器のグループオーナーインテント値とを比較するステップと、前記比較結果、前記第１機器のグループオーナーインテント値が前記第２機器のグループオーナーインテント値よりも小さい場合、前記第１機器のグループオーナーインテント値を前記第２機器のグループオーナーインテント値よりも大きく設定するステップと、をさらに含むことができる。
【００１５】
一方、前記第１機器が前記グループのクライアントと判断された場合、前記第１機器のグループオーナーインテント値を設定するステップは、前記第１機器のグループオーナーインテント値と前記第２機器のグループオーナーインテント値とを比較するステップと、前記比較結果、前記第１機器のグループオーナーインテント値が前記第２機器のグループオーナーインテント値よりも大きい場合、前記第１機器のグループオーナーインテント値を前記第２機器のグループオーナーインテント値よりも小さく設定するステップと、をさらに含むことができる。
【００１６】
一方、第１機器の機器間通信を行う方法は、前記設定された第１機器のグループオーナーインテント値を前記第２機器に伝送するステップをさらに含むことができる。
【００１７】
本発明の課題を達成するための機器間通信を行う第１機器は、機器間通信を支援する第２機器を探索し、前記探索された第２機器からネットワーク情報を受信する受信機と、前記受信された第２機器のネットワーク情報及び前記第１機器のネットワーク情報に基づいて、前記第１機器及び前記第２機器のいずれか一つをグループオーナー（ｇｒｏｕｐ  ｏｗｎｅｒ）と判断するプロセッサと、を含み、前記ネットワーク情報は、サーバー機器またはクライアント機器を指示するタイプ情報、ネットワーク支援情報、ネットワーク必要情報及びネットワーク設定情報のうち少なくとも一つを含む。
【００１８】
ここで、前記プロセッサは、グループオーナー判断基準に従って、前記受信された第２機器のネットワーク情報及び前記第１機器のネットワーク情報を用いてグループオーナーを判断することができる。
【００１９】
一方、前記受信機は、前記第２機器から、前記第２機器のグループオーナーインテント値（ｇｒｏｕｐ  ｏｗｎｅｒ  ｉｎｔｅｎｔ  ｖａｌｕｅ）を受信し、前記プロセッサは、前記グループオーナーと判断された機器のグループオーナーインテント値がより大きい値を有するように、前記第１機器のグループオーナーインテント値と前記第２機器のグループオーナーインテント値とを比較して前記第１機器のグループオーナーインテント値を設定することができる。
【００２０】
一方、前記プロセッサは、前記第１機器が前記グループオーナーと判断された場合、前記第１機器のグループオーナーインテント値と前記第２機器のグループオーナーインテント値とを比較し、前記比較結果、前記第１機器のグループオーナーインテント値が前記第２機器のグループオーナーインテント値よりも小さい場合、前記第１機器のグループオーナーインテント値を前記第２機器のグループオーナーインテント値よりも大きく設定することができる。
【００２１】
一方、前記プロセッサは、前記第１機器が前記グループのクライアントと判断された場合、前記第１機器のグループオーナーインテント値と前記第２機器のグループオーナーインテント値とを比較し、前記比較結果、前記第１機器のグループオーナーインテント値が前記第２機器のグループオーナーインテント値よりも大きい場合、前記第１機器のグループオーナーインテント値を前記第２機器のグループオーナーインテント値よりも小さく設定することができる。
【００２２】
一方、第１機器は、前記設定された第１機器のグループオーナーインテント値を前記第２機器に伝送する送信機をさらに含むことができる。
【発明の効果】
【００２３】
本発明に係る通信実行方法は、既存のワイファイダイレクト機能は維持しながら、ネットワーク情報を比較してグループオーナーを判断して設定できるようにすることができる。
【００２４】
本発明で得られる効果は、以上に言及した効果に制限されず、言及していない他の効果は、下記の記載から、本発明の属する技術分野における通常の知識を有する者に明確に理解されるであろう。
【図面の簡単な説明】
【００２５】
【図１】ワイファイダイレクトネットワークの構成図である。
【図２】ワイファイダイレクトを用いて通信を行う機器の構成を示すブロック図である。
【図３】本発明の一実施例に係るワイファイダイレクトのグループオーナーを判断する方法を説明するためのフローチャートである。
【図４】本発明の一実施例に係るグループオーナーインテント値の設定方法を説明するためのフローチャートである。
【図５】本発明の一実施例に係るグループオーナーインテント値の具体的な設定方法を説明するためのフローチャートである。
【図６】本発明の一実施例に係るワイファイダイレクトを用いた通信実行手順を簡略に示す図である。
【図７】本発明の一実施例に係るワイファイダイレクトを用いた通信実行手順を示す図である。
【発明を実施するための形態】
【００２６】
以下の詳細な説明は、本発明の完全な理解を提供するために具体的な細部事項を含む。しかし、当業者であれば、本発明がこのような具体的な細部事項なしにも実施可能であるということが理解できる。例えば、以下の詳細な説明は、移動通信システムがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ） ８０２．１６システム、３ＧＰＰ(３ｒｄ  Ｇｅｎｅｒａｔｉｏｎ  Ｐａｒｔｎｅｒｓｈｉｐ  Ｐｒｏｊｅｃｔ）である場合を仮定して具体的に説明するが、ＩＥＥＥ ８０２．１６システム、３ＧＰＰの特有の事項を除けば、他の任意の移動通信システムにも適用可能である。
【００２７】
場合によっては、本発明の概念が曖昧になることを避けるために、公知の構造及び装置は省略したり、各構造及び装置の核心機能を中心にしたブロック図の形式で示すことができる。
【００２８】
なお、以下の説明において、端末機器は、ＵＥ(Ｕｓｅｒ  Ｅｑｕｉｐｍｅｎｔ）、ＭＳ(Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）など、移動または固定型のユーザ端の機器を総称するものと仮定する。また、基地局は、Ｎｏｄｅ Ｂ、ｅＮｏｄｅ Ｂ、ＢＳ（Ｂａｓｅ  Ｓｔａｔｉｏｎ）、ＡＰ（Ａｃｃｅｓｓ  Ｐｏｉｎｔ）など、端末と通信するネットワーク端の任意のノードを総称するものと仮定する。
【００２９】
端末機器が伝送または受信する情報には、データ及び様々な制御情報があり、端末機器が伝送または受信する情報の種類・用途に応じて様々な物理チャネルが存在する。
【００３０】
以下、本発明に係る好適な実施形態を、添付の図面を参照して詳細に説明する。添付の図面と共に以下に開示される詳細な説明は、本発明の例示的な実施形態を説明するためのもので、本発明を実施できる唯一の実施形態を示すものではない。
【００３１】
本発明は、機器間通信を支援する端末機器に関する。ここで、機器間通信とは、ワイファイダイレクト、ブルートゥース、ジグビー（Ｚｉｇｂｅｅ）などを含むものであってもよい。説明の便宜のために、以下では、機器間通信をワイファイダイレクトに限定して説明する。
【００３２】
図１は、ワイファイダイレクトネットワークの構成図を示す。
【００３３】
ワイファイ（Ｗｉ−Ｆｉ）は、ＩＥＥＥの８０２．１１標準の下で、全世界的に広く使われる無線通信技術であって、ノートパソコン、携帯電話、コンソールゲーム機、ＭＰ３、カメラ、プリンタなどの様々な機器に用いられている。ワイファイは、インターネットに接続するための無線ＬＡＮ（ＷＬＡＮ）の代表技術として認められており、アクセスポイント（ＡＰ）という接続点を中心に通信を行うことができる技術である。したがって、各種機器に設置されているワイファイは、通信を行うためには、ネットワーク接続点といえるＡＰに接続しなければならない構造である。
【００３４】
しかし、Ｗｉ−Ｆｉ Ａｌｌｉａｎｃｅ（ＷＦＡ）が、Ｗｉ−Ｆｉ間のＰ２Ｐ（Ｐｅｅｒ  ｔｏ  Ｐｅｅｒ）を支援する新しい標準、「ワイファイダイレクト（Ｗｉ−Ｆｉ  Ｄｉｒｅｃｔ）」を提案した。ワイファイダイレクト（Ｗｉ−Ｆｉ  Ｄｉｒｅｃｔ）は、ワイファイ機器間の接続を支援するＡＰ（Ａｃｃｅｓｓ  Ｐｏｉｎｔ）を経由せずに、ワイファイを搭載した機器間で直接的に通信することができる無線通信技術である。
【００３５】
ワイファイダイレクトは、基本的な接続方式は、二つの機器を一対一で接続する方式である。携帯電話と携帯電話、ノートパソコンとマウス、タブレットＰＣとプリンタをワイファイダイレクトで直接接続して使う方式である。したがって、スマートフォンにある写真や音楽、動画を他のスマートフォンに用意に伝送したり、タブレットＰＣに格納された文書と写真を直ちにプリントし、ＰＣとスマートフォン間の連絡先を同期化し、ゲーム機同士を直接接続して互いに対戦を楽しむ用途にも使用することができる。
【００３６】
図１を参照すると、モバイル端末機器１００と車両用ヘッドユニット１５０とはワイファイダイレクト技術を用いて互いに通信を行うことができる。このように、ワイファイダイレクト技術は、モバイル端末機器１００と車両用ヘッドユニット１５０とを接続して、ナビゲーション、ＴＶ出力、音楽再生、ソーシャルサービス、車両情報表示を互いに共有できるようにすることができる。
【００３７】
一方、図１では、一つのモバイル端末機器１００と一つの車両用ヘッドユニット１５０とがワイファイダイレクトを用いて接続されることを説明したが、場合によっては、複数のモバイル端末機器と一つの車両用ヘッドユニット、または一つのモバイル端末と複数の車両用ヘッドユニットがワイファイダイレクトを用いて接続されてもよい。
【００３８】
他の実施例として、ワイファイダイレクトを支援するノートパソコンに、モニタ、プリンタ、デジタルカメラ及びマウスを同時に接続することができる。このとき、ノートパソコンが既存のワイファイネットワークに接続されていれば、ノートパソコンに接続された他の機器も同一にワイファイネットワークでインターネット接続をすることができる。但し、一対多方式はオプションで提供される。
【００３９】
図２は、ワイファイダイレクトを用いて通信を行う機器２００の構成を示すブロック図である。ワイファイダイレクトを支援する図１のモバイル端末機器１００及び車両用ヘッドユニット１５０は、図２で説明する機器２００の構成を全て含むことができる。
【００４０】
図２を参照すると、ワイファイダイレクトを用いて通信を行う機器２００は、送信（Ｔｘ）データプロセッサ２１０、シンボル変調器２２０、送信機２３０、送受信アンテナ２４０、受信機２５０、シンボル復調器２６０、受信データプロセッサ２７０、プロセッサ２８０及びメモリ２９０を含むことができる。同図においては、一つの送受信アンテナ２４０が示されているが、複数個の送受信アンテナを備えることができる。したがって、本発明に係る機器２００は、ＭＩＭＯ（Ｍｕｌｔｉｐｌｅ  Ｉｎｐｕｔ  Ｍｕｌｔｉｐｌｅ  Ｏｕｔｐｕｔ）システムを支援する。また、本発明に係る機器２００は、ＳＵ−ＭＩＭＯ（Ｓｉｎｇｌｅ  Ｕｓｅｒ−ＭＩＭＯ）、ＭＵ−ＭＩＭＯ（Ｍｕｌｔｉ  Ｕｓｅｒ−ＭＩＭＯ）方式の両方を支援することができる。
【００４１】
送信データプロセッサ２１０は、トラフィックデータを受信し、受信したトラフィックデータをフォーマットして、コーディングし、コーディングされたトラフィックデータをインターリービンし、変調して（またはシンボルマッピングして）、変調シンボル（「データシンボル」）を提供する。シンボル変調器２２０は、該データシンボルとパイロットシンボルを受信及び処理して、シンボルのストリームを提供する。
【００４２】
シンボル変調器２２０は、データ及びパイロットシンボルを多重化して、これを送信機２３０に伝送する。このとき、それぞれの送信シンボルは、データシンボル、パイロットシンボル、またはゼロ（ｎｕｌｌ）の信号値であってもよい。それぞれのシンボル周期において、パイロットシンボルが連続的に送信されてもよい。パイロットシンボルは、周波数分割多重化（ＦＤＭ）、直交周波数分割多重化（ＯＦＤＭ）、時分割多重化（ＴＤＭ）、またはコード分割多重化（ＣＤＭ）シンボルであってもよい。
【００４３】
送信機２３０は、シンボルのストリームを受信して、これを一つ以上のアナログ信号に変換し、また、該アナログ信号を追加的に調整（例えば、増幅、フィルタリング、及び周波数アップコンバート（ｕｐ−ｃｏｎｖｅｒｔｉｎｇ））して、無線チャネルを介した送信に適した信号を発生させる。すると、送信アンテナ２４０は、発生された信号を他の機器に伝送する。
【００４４】
一方、受信アンテナ２４０は、他の機器からの信号を受信して、受信された信号を受信機２５０に提供する。受信機２５０は、受信された信号を調整（例えば、フィルタリング、増幅、及び周波数ダウンコンバート（ｄｏｗｎ  ｃｏｎｖｅｒｔｉｎｇ））し、調整された信号をデジタル化して、サンプルを獲得する。シンボル復調器２６０は、受信されたパイロットシンボルを復調して、これを、チャネル推定のためにプロセッサ２８０に提供する。
【００４５】
また、シンボル復調器２６０は、プロセッサ２８０から周波数応答推定値を受信し、受信されたデータシンボルに対してデータ復調を行って、（送信されたデータシンボルの推定値である）データシンボル推定値を獲得し、データシンボル推定値を受信（Ｒｘ）データプロセッサ２７０に提供する。受信データプロセッサ２７０は、データシンボル推定値を復調（すなわち、シンボルデマッピング（ｄｅｍａｐｐｉｎｇ））し、デインターリービング（ｄｅｉｎｔｅｒｌｅａｖｉｎｇ）し、デコーディングして、伝送されたトラフィックデータを復旧する。
【００４６】
シンボル復調器２６０及び受信データプロセッサ２７０による処理は、シンボル変調器２２０及び送信データプロセッサ２１０による処理に対して相補的である。
【００４７】
プロセッサ２８０は、機器２００での動作を指示（例えば、制御、調整、管理など）する。プロセッサ２８０は、プログラムコード及びデータを格納するメモリ２９０と接続することができる。メモリ２９０は、プロセッサ２８０に接続されて、オペレーティングシステム、アプリケーション、及び一般ファイル（ｇｅｎｅｒａｌ  ｆｉｌｅｓ）などを格納する。
【００４８】
プロセッサ２８０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。一方、プロセッサ２８０は、ハードウェア（ｈａｒｄｗａｒｅ）またはファームウェア（ｆｉｒｍｗａｒｅ）、ソフトウェア、またはこれらの結合によって具現することができる。ハードウェアを用いて本発明の実施例を具現する場合には、本発明を行うように構成されたＡＳＩＣｓ(ａｐｐｌｉｃａｔｉｏｎ  ｓｐｅｃｉｆｉｃ  ｉｎｔｅｇｒａｔｅｄ  ｃｉｒｃｕｉｔｓ）またはＤＳＰｓ（ｄｉｇｉｔａｌ  ｓｉｇｎａｌ  ｐｒｏｃｅｓｓｏｒｓ）、ＤＳＰＤｓ(ｄｉｇｉｔａｌ  ｓｉｇｎａｌ  ｐｒｏｃｅｓｓｉｎｇ  ｄｅｖｉｃｅｓ）、ＰＬＤｓ(ｐｒｏｇｒａｍｍａｂｌｅ  ｌｏｇｉｃ  ｄｅｖｉｃｅｓ）、ＦＰＧＡｓ(ｆｉｅｌｄ  ｐｒｏｇｒａｍｍａｂｌｅ  ｇａｔｅ  ａｒｒａｙｓ）などをプロセッサ２８０に備えることができる。
【００４９】
一方、ファームウェアやソフトウェアを用いて本発明の実施例を具現する場合には、本発明の機能または動作を行うモジュール、手順または関数などが含まれるようにファームウェアやソフトウェアを構成することができ、本発明を行うことができるように構成されたファームウェアまたはソフトウェアは、プロセッサ２８０内に備えられたり、メモリ２９０に格納されてプロセッサ２８０によって駆動され得る。
【００５０】
図２に示された構成要素以外にも、本発明に係る機器２００は、必要に応じて様々な構成要素をさらに含むことができる。一例として、機器２００がモバイル端末機器である場合、図２の無線通信を行う構成要素以外にも、カメラとマイクなどが含まれて、オーディオ及びビデオ信号が入力されるＡ／Ｖ（Ａｕｄｉｏ／Ｖｉｄｅｏ）入力部と、ボタン、タッチセンサ、キーパッドなどを含んでユーザの動作制御が入力されるユーザ入力部と、モバイル端末機の位置、方位、加速、減速、ユーザ接触の有無などのように現状態を感知することができるセンシング部と、ディスプレイ、スピーカー、ハプティックモータなどを含んで視覚、聴覚または触覚などと関連した出力を発生させる出力部と、有／無線ヘッドセットポート、外部充電器ポート、イヤホンポート、メモリカードポートなどを含んで外部機器と接続するインターフェース部と、プロセッサの制御によって外部の電源、内部の電源が印加されて、各構成要素の動作に必要な電源を供給する電源供給部などの構成要素をさらに含むことができる。
【００５１】
以下では、このように構成された機器で具現することができる無線通信方法と関連した実施例について、添付の図面を参照して説明する。
【００５２】
説明の便宜のために、本発明に係る機器間通信を行う機器は、図２に示された構成要素のうち少なくとも一つを含むものと仮定する。また、以下では、第１機器及び第２機器は、本発明が適用される機器を受信側及び送信側に分けて説明するための概念である。そして、第１及び第２機器は、同じネットワークグループに属すると仮定する。
【００５３】
具体的に、本発明に係る機器間通信を行う第１機器は、図２に示された構成要素のうち、機器間通信を支援する第２機器を探索し、探索された第２機器からサービス情報を受信する受信機及び受信された第２機器のサービス情報及び第１機器のネットワーク情報に基づいて、第１機器及び第２機器のいずれか一つをグループオーナー（ｇｒｏｕｐ  ｏｗｎｅｒ）と判断するプロセッサを含み、ネットワーク情報は、サーバー機器またはクライアント機器を指示するタイプ情報、ネットワーク支援情報、ネットワーク必要情報及びネットワーク設定情報のうち少なくとも一つを含むことができる。
【００５４】
場合によっては、第１機器は、設定された第１機器のグループオーナーインテント値を第２機器に伝送する送信機をさらに含む一つの構成として設計することができる。
【００５５】
または、第１機器は、第１機器のグループインテント値及びネットワーク情報、第２機器から受信したネットワーク情報及び第２機器のグループインテント値を格納するメモリをさらに含むことができる。
【００５６】
上述した仮定に基づいて、以下、本発明に係るワイファイダイレクトのグループオーナーを判断する方法について、図３を参照して説明する。
【００５７】
図３は本発明の一実施例に係るワイファイダイレクトのグループオーナーを判断する方法を説明するためのフローチャートである。
【００５８】
図３を参照すると、本発明の一実施例に係る第１機器は、ワイファイダイレクトを支援する第２機器を探索する（Ｓ３１０）。具体的に、第１機器は、周辺にある第２機器から伝送されるビーコン信号を感知して、デバイスディスカバリー手順（Ｄｅｖｉｃｅ  Ｄｉｓｃｏｖｅｒｙ  Ｐｒｏｃｅｄｕｒｅ）を進行してワイファイダイレクトを支援する第２機器を探知することができる。
【００５９】
ステップＳ３１０を経て、第１機器は、探索された第２機器からネットワーク情報を受信することができる（Ｓ３２０）。ここで、ネットワーク情報は、サーバー機器またはクライアント機器を指示するタイプ情報、ネットワーク支援情報、ネットワーク必要情報、ネットワーク状態情報及びネットワーク設定情報のうち少なくとも一つを含むことができる。表１は、本発明のネットワーク情報の一実施例を示す。ネットワーク情報は、デバイスディスカバリー手順を通じて伝送することができる。
【００６０】
本発明において、タイプ情報とは、ネットワーク上でサーバーとして動作することができるサーバー機器、及びクライアントとして動作することができるクライアント機器を指示する情報である。
【００６１】
そして、ネットワーク支援情報とは、機器が支援するネットワークに関する情報を意味する。一例として、ネットワーク支援情報は、機器が支援するネットワークタイプの数、機器が支援するネットワークタイプのリスト、接続される機器にネットワークが拡張されるか否かまたはインターネット接続が支援されるか否かなどの情報を含むことができる。
【００６２】
そして、ネットワーク必要情報とは、機器が作動するにおいてネットワーク接続が必要であるか否かに関する情報を意味する。一例として、ネットワーク必要情報は、機器の動作にインターネット接続が必要であるか否かを指示する情報であってもよい。
【００６３】
そして、ネットワーク状態情報とは、ネットワークの全般的な状態及び設定に関する情報を意味する。一例として、ネットワーク状態情報は、ネットワーク接続状態の情報、信号強度の情報、多重接続を支援するか否かの情報などの情報を含むことができる。
【００６４】
【表１】
2014060717.tif 000003
【００６５】
一方、第１機器は、探索された第２機器からサービス情報を受信することができる。ここで、サービス情報とは、機器の属性（Ａｔｔｒｉｂｕｔｅ）情報で、下記の表２のようにワイファイダイレクトに定義されたＰ２Ｐ ａｔｔｒｉｂｕｔｅ ＩＤ Ｄｅｆｉｎｉｔｉｏｎｓであってもよい。
【００６６】
【表２】
2014060717.tif 000004
【００６７】
一方、サービス情報を受信した第１機器は、サービス情報に基づいて、車接続サービス（Ｃａｒ  Ｃｏｎｎｅｃｔｉｖｉｔｙ  Ｓｅｒｖｉｃｅ）をベースとするワイファイダイレクト接続であるか否かを判断することができる。判断結果、第１機器は、車接続サービスをベースとするワイファイダイレクト接続である場合にのみ、次のステップであるステップＳ３３０に進行し、そうでない場合には、一般のワイファイダイレクト接続によるグループオーナー交渉ステップに進行することができる。このような判断は、表１のＲｅｓｅｒｖｅｄ ｆｉｅｌｄのうち一つに定義できる車接続サービス情報を用いて行うことができる。車接続サービス属性ＩＤ情報は、下記の表３のＡｔｔｒｉｂｕｔｅ ＩＤ ｆｉｅｌｄを参照して判断することができる。ただし、車接続サービスをベースとするワイファイダイレクト接続であるか否かの判断は、選択的なステップであり、省略可能である。
【００６８】
【表３】
2014060717.tif 000005
【００６９】
一方、表１のネットワーク情報及び表２、３のようなサービス情報は、Ｄｅｖｉｃｅ Ｄｉｓｃｏｖｅｒｙ ｆｒａｍｅまたはＧＯ（Ｇｒｏｕｐ Ｏｗｎｅｒ）Ｎｅｇｏｔｉａｔｉｏｎ ｆｒａｍｅを通じて獲得することができる。Ｄｅｖｉｃｅ Ｄｉｓｃｏｖｅｒｙ ｆｒａｍｅは、Ｄｅｖｉｃｅ Ｄｉｓｃｏｖｅｒｙ Ｐｒｏｃｅｄｕｒｅで、ＧＯ（Ｇｒｏｕｐ Ｏｗｎｅｒ）Ｎｅｇｏｔｉａｔｉｏｎ ｆｒａｍｅは、ＧＯ ｆｏｒｍａｔｉｏｎ Ｐｒｏｃｅｄｕｒｅで送受信されるｆｒａｍｅであって、以下、図６、７と共に後述する。そして、本明細書では、図１のようなネットワーク情報を、図２、３のサービス情報と別個の情報として説明しているが、ネットワーク情報は、サービス情報と共に一つの情報として構成することができる。
【００７０】
ステップＳ３２０の後に、第１機器は、受信された第２機器のネットワーク情報及び第１機器のネットワーク情報を比較して、第１機器及び第２機器のいずれか一つをグループオーナーと判断することができる（Ｓ３３０）。
【００７１】
具体的に、第１機器及び第２機器のネットワーク情報から、タイプ情報、ネットワーク支援情報、ネットワーク必要情報及びネットワーク状態情報のうち少なくとも一つを抽出することができる。そして、グループオーナー判断基準に従って、抽出されたタイプ情報、ネットワーク支援情報、ネットワーク必要情報及びネットワーク状態情報を対比してグループオーナーを判断することができる。ここで、グループオーナー判断基準は、機器に予め格納されていたり、ワイファイダイレクト機能を使用するごとにユーザから直接入力を受けることができる。
【００７２】
【表４】
2014060717.tif 000006
【００７３】
一例として、第１機器と第２機器のネットワーク情報が表４のような場合、第１機器は、タイプ情報、ネットワーク支援情報、ネットワーク必要情報、ネットワーク状態情報を考慮して、第１機器をグループオーナーと判断することができる。
【００７４】
以下では、図４を参照して、グループオーナーインテント値を設定する方法について説明する。図４は、図３のステップＳ３３０の以降に行われる動作であって、ステップＳ３００〜Ｓ３３０まで行われた状態であることを仮定する。
【００７５】
図４を参照すると、第１機器は、第２機器から、第２機器のグループオーナーインテント値（Ｇｒｏｕｐ  Ｏｗｎｅｒ  Ｉｎｔｅｎｔ  Ｖａｌｕｅ）が含まれたメッセージを受信することができる（Ｓ４１０）。具体的に、第２機器からＧＯ Ｎｅｇｏｔｉａｔｉｏｎ Ｒｅｑｕｅｓｔメッセージを受信することができる。ＧＯ Ｎｅｇｏｔｉａｔｉｏｎ Ｒｅｑｕｅｓｔメッセージには、グループオーナーインテント値だけでなく、表２及び表３のようなサービス情報をさらに含めることができる。ここで、グループオーナーインテント値とは、グループオーナーを決定するのに用いられる値である。ワイファイダイレクトでは、グループオーナーインテント値を最小０から最大１５の値を有することができると定義している。
【００７６】
そして、第１機器は、グループオーナーと判断された機器のグループオーナーインテント値がより大きい値を有するように、第１機器のグループオーナーインテント値と第２機器のグループオーナーインテント値とを比較して第１機器のグループオーナーインテント値を設定することができる（Ｓ４２０）。ワイファイダイレクトでは、接続される各機器のグループオーナーインテント値を比較して、より大きい値を有する機器をグループオーナーとして決定することができる。したがって、第１機器は、第１機器のグループオーナーインテント値を、ステップＳ３３０で判断されたグループオーナー及びグループクライアントに対応するように調節することができる。ただし、ステップＳ３３０で判断されたグループオーナーによってグループオーナーインテント値が対応する場合、第１機器は、第１機器のグループオーナーインテント値を調節せずに、そのまま使用することができる。一例として、第１機器がグループオーナーと判断され、第１機器のグループオーナーインテント値が「１０」であり、第２機器のグループオーナーインテント値が「１１」である場合、第１機器は、第２機器のグループオーナーインテント値である「１１」よりも大きい値を有するように、第１機器のグループオーナーインテント値を「１０」から「１２〜１５」の値を有するように調節することができる。反対に、第１機器がグループクライアントと判断され、第１機器のグループオーナーインテント値が「１０」であり、第２機器のグループオーナーインテント値が「９」である場合、第１機器は、第２機器のグループオーナーインテント値である「９」よりも小さい値を有するように、第１機器のグループオーナーインテント値を「１０」から「０〜９」の値を有するように調節することができる。しかし、第１機器がグループオーナーと判断され、第１機器のグループオーナーインテント値が「１０」であり、第２機器のグループオーナーインテント値が「９」である場合、第１機器のグループオーナーインテント値が第２機器のグループオーナーインテント値よりも大きいので、別途の調節なしにグループオーナーインテント値をそのまま使用することができる。これについての具体的な第１機器のグループオーナーインテント値の設定方法は、図５を参照して後述する。
【００７７】
そして、第１機器は、設定された第１機器のグループオーナーインテント値が含まれたメッセージを第２機器に伝送することができる（Ｓ４３０）。具体的に、第１機器は、ステップＳ４２０で設定された第１機器のグループオーナーインテント値が含まれたＧＯ Ｎｅｇｏｔｉａｔｉｏｎ Ｒｅｓｐｏｎｓｅメッセージを第２機器に伝送することができる。
【００７８】
以下では、図５を参照して、グループオーナーインテント値を設定する方法について具体的に説明する。図５は、図４のステップＳ４２０を具体化したフローチャートであって、ステップＳ４１０まで行われた状態であることを仮定する。
【００７９】
図５を参考すると、第１機器は、第１機器がグループオーナーと判断されたか否かを確認して、グループクライアントと判断された場合（Ｓ５００−いいえ）、第１機器のグループオーナーインテント値と第２機器のグループオーナーインテント値とを比較することができる。そして、比較結果、第１機器のグループオーナーインテント値が第２機器のグループオーナーインテント値よりも大きい場合（Ｓ５１０−いいえ）、第１機器のグループオーナーインテント値を第２機器のグループオーナーインテント値よりも小さく設定することができる（Ｓ５２０）。反面、比較結果、第１機器のグループオーナーインテント値が第２機器のグループオーナーインテント値よりも小さい場合（Ｓ５１０−はい）、第１機器のグループオーナーインテント値を調整せずに、そのまま使用することができる（Ｓ５３０）。
【００８０】
一方、第１機器は、第１機器がグループオーナーと判断されたか否かを確認して、グループオーナーと判断された場合（Ｓ５００−はい）、第１機器のグループオーナーインテント値と第２機器のグループオーナーインテント値とを比較することができる。そして、比較結果、第１機器のグループオーナーインテント値が第２機器のグループオーナーインテント値よりも小さい場合（Ｓ５４０−いいえ）、第１機器のグループオーナーインテント値を第２機器のグループオーナーインテント値よりも大きく設定することができる（Ｓ５５０）。反面、比較結果、第１機器のグループオーナーインテント値が第２機器のグループオーナーインテント値よりも大きい場合（Ｓ５４０−はい）、第１機器のグループオーナーインテント値を調整せずに、そのまま使用することができる（Ｓ５３０）。
【００８１】
図５では、第１機器のグループオーナーインテント値を設定することと説明したが、第２機器のグループオーナーインテント値を、グループオーナーと判断された機器のグループオーナーインテント値がより大きい値を有するように設定することもできる。この場合、設定された第２機器のグループオーナーインテント値を、ＧＯ Ｎｅｇｏｔｉａｔｉｏｎ Ｒｅｓｐｏｎｓｅメッセージに含めて第２機器に伝送することもできる。上記のように、第１機器のグループオーナーインテント値ではなく、第２機器のグループオーナーインテント値を調節して、グループオーナーと判断された機器のグループオーナーインテント値をより大きい値を有するように設定することができる。したがって、第１機器は、グループオーナーインテント値の調節が必要な場合（すなわち、Ｓ５１０−いいえ又はＳ５４０−いいえ）、ユーザに、第１機器のグループオーナーインテント値及び第２機器のグループオーナーインテント値のいずれか一つを選択して調節できるように表示し、選択を受けることもできる。
【００８２】
以上のような通信実行方法によって、グループオーナーインテント値を動的に設定できるので、特定の状況に合うグループオーナーを決定できるようになる。
【００８３】
以下では、本発明の一実施例に係るワイファイダイレクトを用いた通信実行手順を、図６及び図７を参照して説明する。
【００８４】
図６は、本発明の一実施例に係るワイファイダイレクトを用いた通信実行手順を簡略に示す図である。
【００８５】
図６を参照すると、ワイファイダイレクトを支援する第１機器と第２機器は、Ｄｅｖｉｃｅ Ｄｉｃｏｖｅｒｙ Ｐｒｏｃｅｄｕｒｅ（デバイスディスカバリー手順）（Ｓ６１０）、Ｇｒｏｕｐ ｆｏｒｍａｔｉｏｎ Ｐｒｏｃｅｄｕｒｅ（グループ形成手順）（Ｓ６２０）を行って互いにＣｏｎｎｅｃｔｉｏｎ（接続）（Ｓ６３０）することができる。
【００８６】
Ｄｅｖｉｃｅ Ｄｉｓｃｏｖｅｒｙ Ｐｒｏｃｅｄｕｒｅ（Ｓ６１０）は、ワイファイダイレクトを支援する機器を探索して、接続に必要な情報を互いに交換する手順である。手順において、各機器は、表１、２、３のような情報を交換することができる。本発明では、Ｄｅｖｉｃｅ Ｄｉｓｃｏｖｅｒｙ Ｐｒｏｃｅｄｕｒｅ（Ｓ６１０）においてグループオーナーを判断する動作をさらに行うことができる。
【００８７】
Ｇｒｏｕｐ Ｆｏｒｍａｔｉｏｎ Ｐｒｏｃｅｄｕｒｅ（Ｓ６２０）は、接続される機器間のグループを形成する手順であって、グループの形成に必要な情報を互いに交換する手順である。手順において、各機器は、グループの形成に関する情報を交換することができ、そのうちの一つがグループオーナーインテント値であってもよい。本発明では、Ｇｒｏｕｐ Ｆｏｒｍａｔｉｏｎ Ｐｒｏｃｅｄｕｒｅ（Ｓ６２０）においてグループオーナーインテント値を動的に設定する動作をさらに行うことができる。
【００８８】
図７は、図６の通信実行手順を詳細に示す図である。
【００８９】
図７を参照すると、第１機器は、第２機器から伝送されたビーコン信号を探知して（Ｓ７１０）、第２機器とデバイスディスカバリー手順を行うことができる。具体的に、第２機器とＤｅｖｉｃｅ Ｄｉｓｃｏｖｅｒｙ Ｆｒａｍｅを交換して、接続に必要な情報を互いに交換することができる（Ｓ７２０）。ここで、Ｄｅｖｉｃｅ Ｄｉｓｃｏｖｅｒｙ Ｆｒａｍｅは、表１、２、３のような情報を含むことができる。そして、第１機器は、デバイスディスカバリー手順においてＧＯ（Ｇｒｏｕｐ Ｏｗｎｅｒ、グループオーナー）を判断することができる（Ｓ７３０）。第１機器は、Ｄｅｖｉｃｅ Ｄｉｓｃｏｖｅｒｙ Ｆｒａｍｅに含まれたサービス情報に基づいてＧＯを判断することができる。ＧＯの判断についての具体的な説明は、図３で詳述したので、重複説明は省略する。
【００９０】
そして、第１機器は、第２機器とグループ形成手順（Ｓ６２０）を行うことができる。具体的に、第１機器は、ＧＯ Ｎｅｇｏｔｉａｔｉｏｎ Ｒｅｑｕｅｓｔを第２機器から受信することができる（Ｓ７４０）。ここで、ＧＯ Ｎｅｇｏｔｉａｔｉｏｎ Ｒｅｑｕｅｓｔは、グループオーナーインテント値だけでなく、表１及び表２のようなサービス情報をさらに含むことができる。そして、第１機器は、第１機器と第２機器のグループオーナーインテント値を比較して（Ｓ７５０）、ステップＳ７３０でグループオーナーと判断された機器のグループオーナーインテント値がより大きい値を有するように、第１機器のグループオーナーインテント値を設定することができる（Ｓ７６０）。
【００９１】
そして、第１機器は、設定された第１機器のグループオーナーインテント値を含むＧＯ Ｎｅｇｏｔｉａｔｉｏｎ Ｒｅｓｐｏｎｓｅを第２機器に伝送して（Ｓ７７０）、第２機器が第１機器のグループオーナーインテント値を確認できるようにする。上記のような手順に従って、第１機器と第２機器はグループオーナー及びグループクライアントを決定し、第２機器がＧＯ Ｎｅｇｏｔｉａｔｉｏｎ Ｃｏｎｆｉｒｍａｔｉｏｎを第１機器に伝送することによって、グループ形成手順を終了するようになる（Ｓ７８０）。グループ形成手順が終了すると、第１機器と第２機器との間の通信接続が成立することができる（Ｓ７９０）。勿論、グループ形成手順の後に認証（Ａｕｔｈｅｎｔｉｃａｔｉｏｎ）及び結合（Ａｓｓｏｃｉａｔｉｏｎ）などの手順を行うことができるが、本発明と直接的な関連がないので具体的な説明は省略する。
【００９２】
上述した本発明の一実施例に係る無線通信方法は、ワイファイダイレクトを用いた接続時に、既存のワイファイダイレクトスペックの変更なしに、ネットワーク情報を用いて判断された機器をグループオーナーとして決定することができる効果がある。
【００９３】
具体的に、特定のネットワーク状況に適したグループオーナーを判断し、グループオーナーと判断された機器をグループオーナーとして決定するために、グループオーナーインテント値を動的に設定することができるので、効率的なグループの運用が可能である。
【００９４】
本発明の一実施例によれば、前述した方法（動作フローチャート）は、プログラムが記録された媒体にプロセッサが読取可能なコードとして具現することが可能である。プロセッサが読取可能な媒体の例としては、ＲＯＭ、ＲＡＭ、ＣＤ−ＲＯＭ、磁気テープ、フロッピーディスク、光データ格納装置などがあり、搬送波（例えば、インターネットを介した伝送）の形態で具現されることも含む。
【００９５】
上記のように説明されたワイファイダイレクトを用いて通信を行う機器は、上述した実施例の構成と方法が限定されて適用されるものではなく、上記の実施例は、様々な変形が可能なように、各実施例の全部または一部を選択的に組み合わせて構成してもよい。
【符号の説明】
【００９６】
２３０    送信機
２５０    受信機
２８０    プロセッサ
２９０    メモリ
【図１】
2014060717.tif 000007
【図２】
2014060717.tif 000008
【図３】
2014060717.tif 000009
【図４】
2014060717.tif 000010
【図５】
2014060717.tif 000011
【図６】
2014060717.tif 000012
【図７】
2014060717.tif 000013